【事件の表示】
　平成　５年特許願第　８２５７４号「スクリーン印刷用版の製造方法」拒絶査定に対する審判事件［平成　６年　９月２７日出願公開、特開平　６−２７０３７９］について、次のとおり審決する。
【結　論】
　本件審判の請求は、成り立たない。
【理　由】
１．手続きの経緯・本願発明
　本願は、平成5年3月17日の出願であって、その請求項１に係る発明は、平成6年3月16日付け及び平成9年5月26日付けの手続補正書により補正された明細書及び図面の記載からみて、特許請求の範囲の請求項１に記載された次のとおりのものと認める。（以下、「本願発明」という。）
「初めに、感熱材付きスクリーンに引張力付与手段で外向きに引張する力を付与しながら、スクリーン取付枠に平面状に取り付け、次に、前記スクリーン取付枠を位置決め基準により製版用テーブルの定位置に設置して前記感熱材付きスクリーンを製版用テーブルのプラテンに密着し、次に、発熱ヘッドを前記感熱材付きスクリーンに対して相対的に移動してスクリーンに穿孔を形成することにより、枠付の刷版を製造することを特徴とするスクリーン印刷用版の製造方法。」
　
２．当審の拒絶理由で引用した刊行物記載の発明
（１）刊行物１（特開平4-332645号の特許法第17条の2の規定による補正の掲載）記載の発明
ａ．図１に示すように、原稿作成部１６には加熱手段としてのサーマルヘッド１９が設けられており、プラテンローラ２０に押しつけられるようになっている。このサーマルヘッド１９とプラテンローラ２０との間に、感熱性孔版原紙２４が孔版原紙引出しローラ２１により引き出され、孔版原紙送りローラ２２により送られる。サーマルヘッド１９により熱穿孔された感熱性孔版原紙２４は孔版原紙送りローラ２２、２３によりスタンプ１２の下面に送られる。（公報段落0015）
ｂ．スタンプ１２のスタンプ本体２８は、スタンプ保持部１７内で、インクパッド３０と孔版原紙送りローラ２３とが隙間２７を開けて支持部（図示しない）で支持されている。スタンプ１２の下面に感熱性孔版原紙２４が送られた後に、スタプ１２の取っ手１３を感熱性孔版原紙２４の方向にバネ２９に逆らって押し込むと、インクパッド３０が感熱性孔版原紙２４に接触し、インクパッド３０のインクの粘性により、インクパッド３０に感熱性孔版原紙２４が張り付く。（公報段落0016）
ｃ．又、感熱性孔版原紙２４は、熱可塑性フィルムと多孔性支持体とを接着して形成されており、熱可塑性フィルム側がサーマルヘッド１９に接触するようになっている。又、図３に示すように感熱性孔版原紙２４には枠２５が接着されている。（公報段落0017）
ｄ．サーマルヘッド１９は、そのヘッド本体に発熱素子列を備えている。発熱素子列は多数の発熱素子から成り、本実施例においては１列に並べられた４４８個の発熱素子を備えている。各発熱素子は感熱性孔版原紙２４の送り方向と直交する方向に互いに隣接して配列されており、上記原紙送りに合わせて所定のタイミングで発熱素子列が駆動されることにより、キーボード１０で入力されたデータに従って感熱性孔版原紙２４が熱穿孔される。熱穿孔された感熱性孔版原紙２４は孔版原紙送りローラ２２、２３により、インクパッド３０の下面にくるように所定量だけ送られる。（公報段落0018）
　以上の記載をまとめると、刊行物１には次のような発明が記載されている。
「感熱材付き原紙に対して発熱ヘッドを相対的に移動して、原紙に穿孔を形成することにより枠付の刷版を製造する方法」
（２）刊行物２（米国特許第5156089号明細書）記載の発明
ａ．スクリーンは織地４０からなり、時々シルクも使用されるが、一般的にはポリエステルやナイロン製であり、木製又は金属製フレーム４２に延伸密着して取り付けられ、印刷面４６を画成する。未露出の感光性エマルジョン層４４をスクリーンの印刷面４６に付与する。エマルジョン層は印刷面４６に粘性液体として付与され、その後乾燥、硬化させられる。（第3欄第33〜40行）
ｂ．このように、スクリーン１４をテーブル１２上に配置し、フレーム４２の対応部分がガイド面５２、５４に隣接しかつこれらガイド面に接触するようにしたとき、スクリーンは装置１０内でＸ及びＹ印刷軸線に関して適正に方向決めされる。（第3欄第52〜56行）
ｃ．スクリーンをＸ、Ｙ及びＺ印刷軸線に関して適正に方向決めし、スクリーンの上の選択された位置を印刷ヘッドのホームポジッションと整列させたならば、印刷命令が、印刷コントローラ６６により印刷ヘッド１６及びＸ、Ｙ駆動モータ２４、３４に送られる。該印刷ヘッド１６は動作状態となり、駆動モータは、データに従って制御コンピュータにより発生されかつ該コンピュータから送られた印刷命令に応答して、テーブル１２及び印刷ヘッド１６を相互に動かす。このようにして、印刷ヘッドはスクリーンの全面の上を並進し、図形４８をエマルジョン層４４の上に直接印刷しかつ該図形をスクリーンに対して正確にかつ自動的に位置決めする。（第4欄第41〜55行）
ｄ．図形をエマルジョン層４４の上に印刷したならば、スクリーンを装置１０から取り外し、エマルジョンを照射装置（図示せず）で露出させる。かかる照射装置は当業者に周知であり、一般的には、青、紫又は紫外線ランプを備えている。上述のように、図形により覆われないエマルジョン層４４の部分は、光に露出させることにより「定着」即ち、硬化され、スクリーンの上に１又は２以上の閉塞孔領域を提供する。これとは逆に、図形４８により覆われたエルジョン層の部分は、光に対する露出から保護され、その後、水溶性インキで形成することが望ましい図形と共に水によりスクリーンから洗い落とされ、１又は２以上の開放孔領域を提供する。このように、洗浄が完了した後、スクリーンの上の開放孔領域及び閉塞孔領域は図形４８を画成する。（第6欄第24〜40行）
　以上の記載をまとめると、刊行物２には次のような発明が記載されている。
「スクリーンをフレーム４２に延伸密着して取り付け、スクリーン印刷面に感光性のエマルジョンを付与し、次に、フレーム４２をガイド面５２、５４によりテーブル１２の定位置に設置して、次に、印刷ヘッドを感光性のエマルジョン付きスクリーンに対して相対的に移動してスクリーンに図形を形成し、次に、感光性エマルジョン付きスクリーンを露光し、その後スクリーンを洗い、図形及び該図形が覆うエマルジョン層の未露出部分を除去してスクリーンに孔を形成することによりフレーム付き刷版を製造するスクリーン印刷用版の製造方法。」
（３）刊行物３（新版印刷辞典）記載事項
「はんわく」の項に、「刷版の紗を固定させる枠。版面の伸縮を抑えるため、紗は十分な張力をかけて枠に固定する。張られた紗は内部応力により枠を内側に引っ張る。これに抗する強度が小さいと歪みが発生して、枠の平坦性が失われる。枠は刷版の取り扱いを容易にするため、軽くて丈夫なことが必要条件である。簡単な木製組立枠やアルミニウム型材、鋳物、鉄パイプ性などが使われている。
　
３．対比・判断
　本願発明を刊行物２記載の発明と対比すると、
ａ．刊行物２記載の発明の「フレーム４２」は本願発明の「スクリーン取付枠」に相当し、刊行物２記載の発明の「感光性のエマルジョン」と本願発明の「感熱材」とはスクリーンの「被覆材」である点で共通するから、両者は、スクリーン取付枠に緊張させて取り付けた被覆材付きスクリーンに、プリンタで使用される記録ヘッドをスクリーンに対して相対的に移動して文字や図形を描いて、文字や図形部分に対応する部分の被覆材を除去することによって孔を形成して枠付きのスクリーン印刷用の版を製造する方法である点で共通すること、
ｂ．刊行物２記載の発明の「装置10」は印刷スクリーンを作成する装置ではあるが、スクリーン印刷用版の製造方法の工程中でスクリーンに文字や図形を描く装置であり、その「テーブル１２」は「製版用テーブル」ということができ、「ガイド面５２、５４」はフレーム４２をテーブル１２に位置決めするための基準となるものであるから「位置決め基準」ということができること、
　以上のことから、両者間には次のような一致点、相違点がある。
（一致点）
「スクリーンに引張する力を付与しながらスクリーン取付枠に平面状に取り付け、次にスクリーン取付枠を位置決め基準により製版用テーブルの定位置に設置し、次に、プリンタで使用される記録ヘッドを被覆材付きスクリーンに対して相対的に移動してスクリーンに文字や図形を描いて、文字や図形部分に対応する部分の被覆材を除去することによって被覆材付きスクリーンに孔を形成する枠付きのスクリーン印刷版を製造する方法」
（相違点）
（１）スクリーンに引張する力を付与しながらスクリーン取付枠に平面上に取り付けるに当たって、本願発明では感熱材付きスクリーンに引張力付与手段で外向きに引張する力を付与しながら取り付けているのに対して、刊行物２記載の発明ではスクリーン取付枠の上方に密着して延伸し固定し、その後にスクリーン印刷面に感光性のエマルジョンを付与している点
（２）プリンタで使用される記録ヘッドを被覆材付きスクリーンに対して相対的に移動してスクリーンに文字や図形を描いて、文字や図形部分に対応する部分の被覆材を除去することによって被覆材付きスクリーンに孔を形成する枠付きのスクリーン印刷版の製造方法において、本願発明は発熱ヘッドにより感熱材付きスクリーンに直接穿孔を形成するものであるのに対して、刊行物２記載の発明は記録ヘッドによって感光性エマルジョン付きスクリーンに図形等を印刷し、その後、感光性エマルジョン付きスクリーンを露光し、その後スクリーンを洗い、図形及び該図形が覆うエマルジョン層の未露出部分を除去してスクリーンに孔を形成するものである点
（３）本願発明が感熱材付きスクリーンを製版用テーブルのプラテンに密着させているのに対して、刊行物２記載の発明はプラテンについて言及していない点
（相違点の検討）
　最初に、相違点（２）について検討する。上で述べたように刊行物２記載の発明は被覆材付きスクリーンにプリンタで使用される記録ヘッドで文字や図形を描いて、文字や図形部分に対応する部分の被覆材を除去することによって孔を形成してスクリーン印刷用の版を製造する方法であるが、同じようにプリンタで使用される記録ヘッドを利用して、感熱材付き原紙に発熱ヘッドによって文字や図形を描きながら同時に穿孔して孔版を製造する方法が刊行物１に記載されており、刊行物１に記載されている感熱材付き原紙を用いる版と刊行物２記載のスクリーン印刷用版はいずれも孔版の１種であり、また製版方法もじようにプリンタで使用されている記録ヘッドを用いての刷版方法であることから、刊行物２記載の発明において、被覆材付きスクリーンとして感熱材付きスクリーンを用い、発熱ヘッドによってスクリーンに直接穿孔を形成する刷版方法とすることは当業者が容易に考えつくことができた構成の変更である。
　相違点（１）に関しては、被覆材付きスクリーンを取付枠に取り付けるに当たって、予め被覆材が付与されたスクリーンを用いるか、取り付けた後に被覆材を付与するかは設計上の取捨選択事項であるし、スクリーンを取付枠に弛みなく取り付けることは刊行物３に記載されているように周知であり、刊行物２記載の発明においてもスクリーンを延伸させている。そして、本願発明では引張力付与手段を具体的に規定しているわけではなく、引っ張り力を与えるのに必要であれば引張力付与手段を使用する程度のことは技術常識であるから、相違点（２）は当業者が容易に考えつくことができた構成の変更である。
　相違点（３）に関しては、刊行物２記載の発明がプリンタで使用される記録ヘッドを利用して刷版を製造するものである以上、プリンタが記録ヘッドで記録する場合に使用されているプラテンを用いることは当業者が容易に考えつくことができたことであり、刊行物１記載の発明も原紙をプラテンに密着させながら発熱ヘッドで穿孔している。
　
４．結び
　以上のことから、本願発明は刊行物１乃至３記載の発明に基づいて当業者が容易に発明することができたものであり、特許法第29条第2項の規定により特許を受けることができない。
　よって、結論のとおり審決する。